(57)【特許請求の範囲】
【請求項１】
現在の位置の情報を取得する位置情報取得手段と、
音声と画像とテキストのうちの１以上の情報を登録情報として入力する情報入力手段と、
前記登録情報を、前記取得した位置情報に対応付けて保持する情報保持手段と、
位置範囲を格子状の複数の区域に区切ったものが予め設定されており、前記位置情報の位置を含む区域に隣接する周囲に存する所定の区域に対応した代表的な位置を登録位置として選択する選択手段と、
前記位置情報の位置と前記登録位置との間の距離を計算する計算手段と、
当該距離に基づいて、音声については距離が小さいと当該音声の音量を大きくする一方距離が大きいと当該音声の音量を小さくするように、画像については距離が小さいと当該画像の大きさを大きくする一方距離が大きいと当該画像の大きさを小さくするように、テキストについては距離が小さいと当該テキストの内容を詳細にする一方距離が大きいと当該テキストの内容を大雑把な概況にするように、登録情報を加工する加工手段と、
前記加工された登録情報を前記登録位置に対応付けて情報保持手段に登録する登録手段と、
を備えたことを特徴とする情報登録装置。
【請求項２】
情報登録装置を構成するコンピュータに実行させるプログラムを当該コンピュータの入力手段が読取可能に記憶した記憶媒体において、
当該プログラムは、現在の位置の情報を取得する処理と、
音声と画像とテキストのうちの１以上の情報を登録情報として入力する処理と、
前記登録情報を、前記取得した位置情報に対応付けて保持する処理と、
位置範囲を格子状の複数の区域に区切ったものが予め設定されており、前記位置情報の位置を含む区域に隣接する周囲に存する所定の区域に対応した代表的な位置を登録位置として選択する処理と、
前記位置情報の位置と前記登録位置との間の距離を計算する処理と、
当該距離に基づいて、音声については距離が小さいと当該音声の音量を大きくする一方距離が大きいと当該音声の音量を小さくするように、画像については距離が小さいと当該画像の大きさを大きくする一方距離が大きいと当該画像の大きさを小さくするように、テキストについては距離が小さいと当該テキストの内容を詳細にする一方距離が大きいと当該テキストの内容を大雑把な概況にするように、登録情報を加工する処理と、
前記加工された登録情報を前記登録位置に対応付けて登録する処理と、を当該コンピュータに実行させることを特徴とする記憶媒体。
【発明の詳細な説明】
【０００１】
【発明の属する技術分野】
本発明は、環境情報に対応付けられた登録情報を検索して提示する情報提示装置や、登録情報を環境情報に対応付けて登録する情報登録装置などに関し、特に、登録時に対応付けられる環境情報と当該環境情報とは異なる環境情報との差に基づいて提示形態や登録形態が調整された登録情報を提示や登録する技術に関する。
【０００２】
【従来の技術】
メモや写真などの情報を電子化して半導体メモリなどに記憶登録させておき、これら登録情報を必要に応じて検索して利用に供するための情報登録装置や情報検索装置が多用されている。
このような装置では、膨大な量の情報を登録しておくことができるため、この膨大な登録情報の中から如何に効率的に情報を取り出すかについて種々な発明がなされている。
【０００３】
例えば、特開平８−２８７１４３号公報に記載された発明では、登録情報にその情報の発生日時と発生場所の情報を付加して管理している。
また、特開平８−５０５９４号公報に記載された発明では、住所録から計算された緯度及び経度の情報と、装置の現在位置の情報とを組み合わせて、適切な地図情報を検索して提供している。
【０００４】
また、PEPYS("PEPYS: Generating Autobiographies by Automatic Tracking," Proceedings of the Second European Conference on Computer-Supported Cooperative Work, Amsterdam, 1991年9月)に記載された発明では、端末装置の位置情報を特定し、そこでどのような活動が行われていたのかを推定して、日誌を自動的に送付することにより、ユーザの位置を検出して記録として残すようにしている。
【０００５】
また、近年、コンピュータ及びネットワークの発達により、世界中のどこの情報でも容易に取得することができるようになった。
しかしながら、簡単に情報を得られることが、実際にその場に赴いて同じような環境に身を置いてみようという意思を阻害している場合が多い。すなわち、簡易に情報を取得できる便利さが、却って様々な体験を得る機会を阻害していると見ることもできる。
【０００６】
このような観点からすると、上記したような情報登録や情報検索の装置は登録した情報の利用便利を追及したものであり、実際に情報を登録した物理的な環境に身を置いた場合にのみ登録情報を利用できるものではなく、このような利用形態によって、実際にその場へ行ってみようとする動機を阻害してしまっていた。
【０００７】
そこで、このような事情に鑑みて、実際に情報を登録した物理的な環境に身を置いてみようとする動機付けをユーザに対して行うことができ、ユーザに対して登録情報に係る様々な体験を得る機会を提供することができる装置が開発されている。
【０００８】
例えば、特願２０００−１８８８３８号に記載された発明や特願２０００−１９２７３２号に記載された発明では、メモや写真などの情報をその登録の際の環境を表す情報と共に登録する情報登録装置や、このようにして登録された情報を検索する情報検索装置などが提供されており、例えば、特定の環境に置かれた場合における個人の考えや感想等をその環境と対応付けて記録登録しておき、後に、その環境に実際に置かれた場合にのみその登録情報を検索することができる装置などが実現されている。
【０００９】
また、特開平１０−１８５６０９号公報に記載された発明では、携帯情報機器が衛星を利用して自己位置を検出し、検出した自己位置からローカル情報を検索して選択的に出力することが行われている。
また、特開平９−１１３５９９号公報に記載された発明では、利用者の現在位置が登録された場所に近づいたとき、或いは、登録された場所から離れるときに、その場所ですべき行動があることを当該利用者に報知することなどが行われている。
【００１０】
また、特開平１１−１５８７６号公報に記載された発明では、位置情報で表すことのできる場所にいるときに行われた処理の履歴を保存して、現在の位置情報に合致する履歴を参照して当該位置情報に対応する処理の内容を出力することや、或いは、現在の位置情報に近い場所で行われた処理を履歴中から選び出してその内容を出力することなどが行われている。
【００１１】
【発明が解決しようとする課題】
しかしながら、従来では、例えば検索の際における環境情報に近似する環境情報に対応した登録情報を検索して提示するような場合には、検索の際における環境情報と当該登録情報に対応した環境情報との間に差があるにもかかわらず、常に当該登録情報がそのまま提示されていたため、当該登録情報を提示するに際して、このような環境情報の差異に応じた臨場感をユーザに提供することができないといった不具合があった。
【００１２】
本発明は、このような従来の事情に鑑みなされたもので、環境情報に対応付けられた登録情報を検索して提示するに際して、登録時に対応付けられた環境情報と当該環境情報とは異なる環境情報との差に基づいて提示形態が調整された登録情報を提示することができる情報提示装置などを提供することを目的とする。
また、本発明は、登録情報を環境情報に対応付けて登録するに際して、登録時に対応付けられる環境情報と当該環境情報とは異なる環境情報との差に基づいて登録形態が調整された登録情報を登録することができる情報登録装置などを提供することを目的とする。
【００１３】
【課題を解決するための手段】
上記目的を達成するため、本発明に係る情報提示装置では、次のようにして、環境情報に対応付けられた登録情報を検索して提示する。
すなわち、環境情報取得手段が環境の情報を取得し、情報検索手段が情報保持手段から登録情報を検索し、調整手段が環境情報取得手段により取得された環境情報と情報検索手段により検索された登録情報に対応した環境情報との差に基づいて当該登録情報の提示形態を調整し、情報提示手段が情報検索手段により検索された登録情報を調整手段により調整される提示形態で提示する。なお、情報保持手段は、環境情報に対応付けられた登録情報を保持する。
【００１４】
従って、検索された登録情報を提示するに際して、当該登録情報の提示形態を、当該登録情報に対応した環境情報と環境情報取得手段により取得された環境情報との差に基づいて調整することができ、これにより、環境情報の差異に応じた臨場感をもった提示形態で登録情報をユーザに対して提示することができる。
【００１５】
具体的に、環境情報として位置の情報が用いられ、環境情報取得手段によりユーザが携帯等している端末装置の現在における位置の情報が取得される場合を例とすると、本発明では、登録情報に対応付けられた位置情報の位置と現在において端末装置が存している位置との間の距離等の差異に応じて当該登録情報の提示形態を調整することができ、これにより、例えば、端末装置を携帯等しているユーザが登録情報に対応付けられた位置情報の位置に近づくにつれて、登録情報に係る音声情報が大きなレベルでユーザに聞こえたり、或いは、登録情報に係るテキスト情報が詳細にユーザに見られるようにすることができ、このように臨場感あふれる登録情報の提示を実現することができる。
【００１６】
ここで、環境情報としては、必ずしも位置の情報ばかりでなく、例えば温度や速度等といった種々な環境の情報が用いられてもよい。
また、環境情報としては、例えば１種類の環境の情報（例えば位置の情報のみ）が用いられてもよく、或いは、複数種類の環境の情報（例えば位置の情報と温度の情報など）が組み合わされて用いられてもよい。
【００１７】
なお、上記では、位置の差に基づいて登録情報の提示形態を調整する場合の具体例を示したが、例えば温度等といった他の環境についても、同様な仕方で、提示形態を調整することが可能である。具体的に、花や昆虫の画像情報を登録情報として用いた場合を例とすると、温度等の差に基づいて提示される花や昆虫の様子（例えば花の咲き具合や、昆虫の集まり具合など）を調整するといったことが可能である。
【００１８】
また、情報保持手段は、例えば情報を保持するメモリやデータベース等から構成される。
また、登録情報と環境情報とを対応付ける仕方としては、例えば登録情報と環境情報とを別体の情報としてこれらを対応付ける仕方ばかりでなく、例えば登録情報の中に当該登録情報に対応付ける環境情報を含ませる仕方や、環境情報の中に当該環境情報に対応付ける登録情報を含ませる仕方や、或いは、登録情報に当該登録情報に対応付ける環境情報を付加する仕方などを用いることもできる。
【００１９】
また、検索対象となる登録情報としては、種々な登録情報であってもよく、例えば環境情報取得手段により取得される環境情報に近似した環境情報に対応付けられた登録情報を検索する態様や、例えばユーザにより指定される任意の条件に合致する登録情報を検索する態様などを用いることができる。なお、環境情報取得手段により取得される環境情報に近似した環境情報に対応付けられた登録情報を検索する場合には、例えば当該近似の範囲（検索範囲）が予め設定される態様や、当該近似の範囲（検索範囲）がユーザにより指定される態様などが用いられる。
【００２０】
また、登録情報の提示形態を調整するための２つの環境情報の差としては、例えば１種類の環境の情報（例えば位置の情報のみ）に関する差が用いられてもよく、或いは、複数種類の環境の情報（例えば位置の情報と温度の情報など）に関する差が組み合わされて用いられてもよい。また、例えば２つの位置情報の差では距離と角度方向とが検出されることとなるが、このような場合には、例えば距離と角度方向とのいずれか一方に基づいて提示形態が調整されてもよく、或いは、両方に基づいて提示形態が調整されてもよい。
【００２１】
また、登録情報の提示形態を調整する仕方としては、種々な仕方が用いられてもよく、例えば登録情報の提示レベルを調整する仕方や、登録情報の提示内容を調整する仕方や、登録情報の提示方向を調整する仕方などを用いることができる。
【００２２】
具体的に、提示レベルについては、例えば、登録情報に対応付けられた位置と端末装置の現在位置との間の距離が小さくなるにつれて出力する音声の音量レベルや表示出力する画像の大きさレベルを大きくする一方、このような距離が大きくなるにつれて出力する音声の音量レベルや表示出力する画像の大きさレベルを小さくするような調整を行うことが可能である。
【００２３】
また、提示内容については、例えば、登録情報に対応付けられた位置と端末装置の現在位置との間の距離が小さくなるにつれて表示出力するテキストの内容を詳細にする一方、このような距離が大きくなるにつれて表示出力するテキストの内容を大雑把な概況とするような調整を行うことが可能である。
【００２４】
また、提示方向については、例えば登録情報に対応付けられた位置に対応した角度方向から端末装置の現在位置に対してステレオの音声を出力するような調整を行うことが可能であり、また、例えば端末装置の現在位置から登録情報に対応付けられた位置に対する角度方向を見た場合に見える面（例えば正面や側面や背面など）の画像を表示出力するような調整を行うことが可能である。
【００２５】
また、登録情報としては、上記のように、例えば音やテキストや画像などの種々な情報が用いられてもよい。
また、登録情報を提示する仕方としては、上記のように、種々な仕方が用いられてもよく、例えばテキスト情報や画像情報をディスプレイ画面等に表示出力する仕方や、音情報をスピーカから出力する仕方などを用いることができる。
【００２６】
また、上記のような本発明に係る情報提示装置は、一体の装置として構成されてもよく、或いは、複数の装置から構成されてもよい。
一例として、上記のような本発明に係る情報提示装置は、環境情報取得手段及び情報提示手段を有した端末装置を含む複数の装置から構成することが可能である。この場合、情報保持手段や情報検索手段や調整手段は、例えば端末装置以外の装置に備えられてもよく、例えば端末装置に備えられてもよい。
【００２７】
また、本発明に係る情報登録装置では、次のようにして、登録情報を環境情報に対応付けて登録する。
すなわち、情報入力手段が登録情報を入力するとともに、環境情報取得手段が情報入力手段により登録情報が入力される際における環境の情報を取得し、調整手段が環境情報取得手段により取得された環境情報と情報入力手段により入力された登録情報が登録時に対応付けられる環境情報との差に基づいて当該登録情報の登録形態を調整し、情報登録手段が情報入力手段により入力された登録情報を、調整手段により調整される登録形態で、環境情報（登録時に対応付けられる環境情報）に対応付けて登録する。
【００２８】
従って、登録情報を環境情報に対応付けて登録するに際して、当該登録情報の登録形態を、当該登録情報が登録時に対応付けられる環境情報と環境情報取得手段により取得された環境情報との差に基づいて調整することができ、これにより、環境情報の差異に応じた臨場感をもった登録形態で登録情報を登録することができる。
【００２９】
具体的に、例えば環境情報Ａにおいて入力された登録情報Ｐが環境情報Ｂに対応付けられて登録された場合には、登録情報Ｐは環境情報Ａと環境情報Ｂとの差に基づいて登録形態が調整されたものとなっている。そして、例えば環境情報Ｂにおけるユーザが当該環境情報Ｂに対応した登録情報Ｐを検索して提示すると、提示される登録情報Ｐは当該環境情報Ｂと当該登録情報Ｐが入力された際における環境情報Ａとの差に基づいて調整されているため、これら２つの環境情報Ａ、Ｂの差異に応じた臨場感をもった提示形態を有した登録情報Ｐを提示することができる。
【００３０】
ここで、情報入力手段としては、種々なものが用いられてもよく、例えばユーザから情報を受け付けて入力するキーボードやマウス等の手段や、例えばフロッピーディスクやＣＤ−ＲＯＭ等の記録媒体に格納された情報を当該記録媒体から読み出して入力する手段などを用いることができる。
【００３１】
また、情報入力手段により入力された登録情報が登録時に対応付けられる環境情報としては、種々な環境情報であってもよく、例えば登録情報が入力された際における環境情報に近似した環境情報に対応付けて当該登録情報を登録する態様や、例えばユーザにより指定される任意の環境情報に対応付けて登録情報を登録する態様などを用いることができる。
【００３２】
また、登録情報の登録形態を調整する仕方としては、種々な仕方が用いられてもよく、例えば登録情報の提示レベルを調整したものを登録する仕方や、登録情報の提示内容を調整したものを登録する仕方や、登録情報の提示方向を調整したものを登録する仕方などを用いることができる。
【００３３】
また、上記のような本発明に係る情報登録装置は、一体の装置として構成されてもよく、或いは、複数の装置から構成されてもよい。
一例として、上記のような本発明に係る情報登録装置は、情報入力手段及び環境情報取得手段を有した端末装置を含む複数の装置から構成することが可能である。この場合、調整手段や情報登録手段は、例えば端末装置以外の装置に備えられてもよく、例えば端末装置に備えられてもよい。
【００３４】
また、本発明に係る情報登録装置では、次のようにして、登録情報を環境情報に対応付けて登録する。
すなわち、情報入力手段が登録情報を入力するとともに、環境情報取得手段が情報入力手段により登録情報が入力される際における環境の情報を取得し、調整手段が環境情報取得手段により取得された環境情報と当該環境情報とは異なる環境情報との差に基づいて情報入力手段により入力された登録情報の登録形態を調整し、情報登録手段が、環境情報取得手段により取得された環境情報とは異なる環境情報を指定する情報を情報入力手段により入力された登録情報に付加して、当該登録情報を、これら２つの環境情報の差に基づいて調整手段により調整される登録形態で、環境情報取得手段により取得された環境情報に対応付けて登録する。
【００３５】
従って、登録情報を環境情報に対応付けて登録するに際して、当該登録情報の登録形態を、当該環境情報と当該環境情報とは異なる環境情報との差に基づいて調整することができ、これにより、環境情報の差異に応じた臨場感をもった登録形態で登録情報を登録することができる。
【００３６】
具体的に、例えば環境情報Ａにおいて入力された登録情報Ｐが当該環境情報Ａに対応付けられて登録される場合には、登録された登録情報Ｐは当該環境情報Ａと他の環境情報Ｂとの差に基づいて登録形態が調整されたものとなっているとともに、当該登録された登録情報Ｐには当該環境情報Ｂを指定する情報が付加されている。そして、例えば環境情報Ｂにおけるユーザが環境情報Ａに対応するとともに環境情報Ｂを指定する情報が付加された登録情報Ｐを検索して提示すると、提示される登録情報Ｐは当該環境情報Ｂと当該登録情報Ｐが入力された際における環境情報Ａとの差に基づいて調整されているため、これら２つの環境情報Ａ、Ｂの差異に応じた臨場感をもった提示形態を有した登録情報Ｐを提示することができる。
【００３７】
ここで、環境情報取得手段により取得された環境情報とは異なる環境情報としては、種々な環境情報であってもよく、例えば環境情報取得手段により取得される環境情報に近似した環境情報が用いられてもよく、例えばユーザにより指定される任意の環境情報が用いられてもよい。
【００３８】
また、環境情報取得手段により取得された環境情報とは異なる環境情報を指定する情報としては、種々な情報が用いられてもよく、例えば当該異なる環境情報自体に関する情報を用いることや、例えば当該異なる環境情報と環境情報取得手段により取得された環境情報（登録時に登録情報と対応付けられる環境情報）との差に関する情報を用いることなどができる。
【００３９】
また、このような指定情報を登録情報に付加する仕方としては、種々な仕方が用いられてもよく、例えば指定情報と登録情報とを別体の情報として付加する仕方や、例えば一方の情報を他方の情報に含めることで付加する仕方などを用いることができる。
【００４０】
また、上記のような本発明に係る情報登録装置は、一体の装置として構成されてもよく、或いは、複数の装置から構成されてもよい。
一例として、上記のような本発明に係る情報登録装置は、情報入力手段及び環境情報取得手段を有した端末装置を含む複数の装置から構成することが可能である。この場合、調整手段や情報登録手段は、例えば端末装置以外の装置に備えられてもよく、例えば端末装置に備えられてもよい。
【００４１】
また、本発明に係る情報提示装置では、次のようにして、環境情報に対応付けられた登録情報を検索して提示する。
すなわち、環境情報取得手段が環境の情報を取得し、情報検索手段が環境情報取得手段により取得された環境情報と登録時に対応付けられた環境情報との差が提示形態に対応した環境情報と登録時に対応付けられた環境情報との差に適合する登録情報を情報保持手段から検索し、情報提示手段が情報検索手段により検索された登録情報を提示する。ここで、情報保持手段は、登録時に対応付けられる環境情報とは異なる環境情報に対応した提示形態を有する登録情報を登録時の環境情報（登録時に対応付けられる環境情報）と対応付けて保持する。
【００４２】
従って、例えば或る環境情報とは異なる環境情報において当該或る環境情報に対応付けられた登録情報を検索して提示するに際して、当該異なる環境情報に対応した提示形態を有する登録情報を検索して提示することができ、これにより、環境情報の差異に応じた臨場感をもった提示形態を有する登録情報を提示することができる。
【００４３】
具体的に、例えば、情報保持手段は環境情報Ａに対応した提示形態を有する登録情報Ｐを登録時の環境情報Ｂと対応付けて保持する。そして、環境情報Ａにおけるユーザが環境情報Ｂに対応付けられた登録情報を検索する場合には、当該環境情報Ａと当該環境情報Ｂとの差が提示形態に対応した環境情報と当該環境情報Ｂとの差に適合する登録情報（つまり、提示形態に対応した環境情報が環境情報Ａに適合する登録情報Ｐ）が情報検索手段により検索され、これにより、これら２つの環境情報Ａ、Ｂの差異に応じた臨場感をもった提示形態を有する登録情報Ｐを提示することができる。
【００４４】
ここで、登録時に対応付けられる環境情報とは異なる環境情報に対応した提示形態を有する登録情報としては、例えば、当該異なる環境情報を指定する情報が付加されているとともにこれら２つの環境情報の差に基づいて登録形態が調整された登録情報などを用いることができる。
【００４５】
また、環境情報取得手段により取得された環境情報と登録時に対応付けられた環境情報との差が、提示形態に対応した環境情報と登録時に対応付けられた環境情報との差に適合する登録情報は、上記のように、環境情報取得手段により取得された環境情報に適合する提示形態を有する登録情報に相当する。
ここで、適合の程度としては、例えば一致する場合に適合するとみなす態様ばかりでなく、例えば所定の範囲内で近似する場合にも適合するとみなすような態様を用いることもできる。
【００４６】
また、上記のような本発明に係る情報提示装置は、一体の装置として構成されてもよく、或いは、複数の装置から構成されてもよい。
一例として、上記のような本発明に係る情報提示装置は、環境情報取得手段及び情報提示手段を有した端末装置を含む複数の装置から構成することが可能である。この場合、情報保持手段や情報検索手段は、例えば端末装置以外の装置に備えられてもよく、例えば端末装置に備えられてもよい。
【００４７】
また、本発明では、以上に示したような情報提示や情報登録の方法を提供する。
すなわち、本発明に係る情報提示方法では、環境の情報を取得し、環境情報に対応付けられた登録情報を保持する情報保持手段から登録情報を検索し、取得した環境情報と検索した登録情報に対応した環境情報との差に基づいて当該登録情報の提示形態を調整し、検索した登録情報を調整される提示形態で提示する。
【００４８】
また、本発明に係る情報登録方法では、登録情報を入力するとともに、登録情報が入力される際における環境の情報を取得し、取得した環境情報と入力した登録情報が登録時に対応付けられる環境情報との差に基づいて当該登録情報の登録形態を調整し、入力した登録情報を調整される登録形態で環境情報に対応付けて登録する。
【００４９】
また、本発明に係る情報登録方法では、登録情報を入力するとともに、登録情報が入力される際における環境の情報を取得し、取得した環境情報と当該環境情報とは異なる環境情報との差に基づいて入力した登録情報の登録形態を調整し、取得した環境情報とは異なる環境情報を指定する情報を入力した登録情報に付加して、当該登録情報をこれら２つの環境情報の差に基づいて調整される登録形態で取得した環境情報に対応付けて登録する。
【００５０】
また、本発明に係る情報提示方法では、環境の情報を取得し、登録時に対応付けられる環境情報とは異なる環境情報に対応した提示形態を有する登録情報を登録時の環境情報と対応付けて保持する情報保持手段から、取得した環境情報と登録時に対応付けられた環境情報との差が提示形態に対応した環境情報と登録時に対応付けられた環境情報との差に適合する登録情報を検索し、検索した登録情報を提示する。
【００５１】
また、本発明では、以上に示したような情報提示や情報登録を実現するためのプログラムを記憶した記憶媒体を提供することができる。
一例として、本発明に係る記憶媒体では、コンピュータに実行させるプログラムを当該コンピュータの入力手段が読取可能に記憶しており、当該プログラムは、環境の情報を取得する処理と、環境情報に対応付けられた登録情報を保持する情報保持手段から登録情報を検索する処理と、取得した環境情報と検索した登録情報に対応した環境情報との差に基づいて当該登録情報の提示形態を調整する処理と、検索した登録情報を調整される提示形態で提示する処理とを当該コンピュータに実行させる。
【００５２】
次に、本発明を適用することが可能な好ましい装置例として、情報登録装置や情報検索装置（情報提示装置）の一例を示す。
情報登録装置では、例えば、ユーザにより入力される登録情報と、当該入力時における（１又は複数の）環境の情報とを関連付けて登録して記憶手段により保持する。
具体的には、情報登録装置では、ユーザがメモ、写真、音声コメント等といった断片的な登録情報を入力するための入力パッド、カメラ、マイク等の入力手段を備えるとともに、登録時における位置、高度、速度、温度、湿度、時間等の当該装置外部の環境の情報を取得するグローバル・ポジショニング・システム（ＧＰＳ：Global Positioning System）、高度計、速度計、温度計、湿度計、時計等の環境情報取得手段を備える。
【００５３】
なお、一例として、ＧＰＳから提供される経度、緯度、高度、速度、時計から提供される日付、時刻、温度計から提供される気温、湿度計から提供される湿度、などを環境の情報として用いることが可能であり、また、これらに限られず、例えば、気圧、風量・風向、音の強度・周波数、光量・紫外線量・赤外線量、放射線量、その他化学的分析手法や科学的分析手法で取得される数値などを環境情報として用いることも可能である。
【００５４】
ここで、登録情報と環境情報とを関連付ける仕方としては、例えば１対１で対応付ける仕方や、例えば（一部又は全部の）環境の情報に幅を持たせたもの（環境属性）と登録情報とを対応付ける仕方や、例えばこのような環境属性（環境範囲）の識別情報（代表値）と登録情報とを対応付ける仕方などを用いることができる。また、情報登録装置では、例えばその環境にいる時にのみ登録が可能な構成ばかりでなく、いつでもどこでも（任意の時間や任意の場所で）登録情報と環境情報とを関連付けて登録することが可能な構成とすることもできる。
【００５５】
なお、このような登録時の環境範囲を検索時に要求される環境範囲（検索環境範囲）と比べて小さく設定すると、例えば環境情報の値に多少の誤差が生じてしまうような場合であっても実際の環境に合った登録情報の検索が行われることを実現することができ、また、例えばユーザの環境（検索時の環境）が変化するような場合であっても環境の変化に応じたスムーズな情報検索が行われることを実現することができ、また、例えば登録情報の検索処理が簡易にかつ高速に行われることを実現することができる。
【００５６】
一例として、（登録時における）最小の環境範囲の大きさとしては、環境情報取得手段により取得される環境情報の値の精度程度に設定されるのが好ましく、例えば現在の補正処理を行わないＧＰＳの精度は（日本近辺における緯度や経度について）１０ｍ（０.３秒〜０.４秒）程度であるため、このシステムを用いた場合には（日本近辺における緯度や経度について）３ｍ（０．１秒）程度の大きさの位置範囲を最小の位置範囲として用いるのが好ましい。ここで、“秒”は「×××度△△分○○．○秒」の秒を示している。
【００５７】
情報検索装置では、例えば、検索指示入力（例えば検索起動命令の入力や、検索キー（キーワード）の入力や、検索範囲の入力や、電源オンなど）があった場合に、当該入力時における環境の情報に基づいて当該環境情報に対応した登録情報を検索して、当該検索結果を提示する。
ここで、提示の仕方としては、例えば情報を画面に表示出力する仕方や、情報をプリンタにより印刷出力する仕方や、情報をスピーカから音声出力する仕方などを用いることができる。
【００５８】
また、検索のための環境情報として、例えば（一部又は全部の）環境の情報に幅を持たせたもの（環境条件）を用いることもできる。この場合、検索環境範囲の大きさを、例えばユーザにより指定することや、例えば予め設定することができる。また、この場合、検索環境範囲に含まれる各環境範囲毎に検索された情報を提示することもできる。
【００５９】
以上のように、情報登録装置や情報検索装置では、例えば環境情報と登録情報とを１対１で対応付けておいて環境情報をキーとして登録情報を検索することや、例えば環境属性と登録情報とを対応付けておいて環境情報をキーとして登録情報を検索することや、例えば環境情報と登録情報とを対応付けておいて環境条件をキーとして登録情報を検索することや、例えば環境属性と登録情報とを対応付けておいて環境条件をキーとして登録情報を検索することなどができる。
また、例えば情報登録装置と情報検索装置とを一体化して情報登録検索装置として構成することも可能である。
【００６０】
また、例えばユーザにより携帯等して移動することが可能な端末装置と、登録情報を管理等する管理装置とを別体として設けて、情報登録装置や情報検索装置を構成することも可能である。このような構成では、端末装置がその環境の情報を取得して、取得した環境情報と登録情報とを関連付けて管理装置へ送信して登録することや、取得した環境情報を管理装置へ送信して当該管理装置から返信される当該環境情報に対応した登録情報を受信して提示することなどが行われる。また、端末装置と管理装置とは例えば無線により（なお、有線であってもよい）通信する。
【００６１】
また、例えば１つの管理装置で様々な環境に対応した登録情報を一括管理することもでき、或いは、例えば各位置毎に当該位置に対応した登録情報を記憶する（別の）管理装置を設置することもできる。
【００６２】
また、情報の検索の仕方としては、例えば管理装置側で情報を検索（選別）する構成とすることも可能であり、例えば端末装置側で情報を検索する構成とすることも可能であり、また、例えば管理装置側で或る程度の範囲で情報を検索するとともに端末装置側で当該或る程度の範囲の情報の中から更に細かく情報を検索する構成とすることも可能である。
【００６３】
また、例えば登録情報を管理する管理部と、無線通信を行う１又は複数の無線通信部（例えば無線基地局装置のようなもの）とから管理装置を構成することもでき、このような構成では、一例として、管理部と無線通信部とが離隔して設置されて、無線通信部が端末装置との間で情報を無線通信するとともに、当該情報を管理部が無線通信部との間で有線或いは無線により通信する。
【００６４】
また、端末装置では、例えば本体と位置情報取得手段（例えばＧＰＳ）部分とを着脱可能な別体として構成することもでき、或いは、位置情報取得手段部分を本体（当該端末装置）に内蔵した構成とすることもできる。なお、ＧＰＳが用いられる場合には、ユーザの頭部や肩の上方にＧＰＳ受信機を配置すると、衛星からのＧＰＳ電波を当該ＧＰＳ受信機により受け易くなって好ましい。
【００６５】
また、位置の情報を取得する装置としては、例えば上記のようなＧＰＳの装置を用いるのが好ましいが、他の仕方として、例えばＰＨＳ（Personal Handy phone System）等の基地局装置から無線送信される（例えば当該基地局装置の）位置の情報を受信して当該位置情報を取得する装置などを用いることも可能である。
【００６６】
【発明の実施の形態】
本発明に係る実施例を図面を参照して説明する。
まず、以下に示す実施例（第１実施例や第２実施例）に共通な本例の情報登録提示装置の構成例を示す。なお、本例の情報登録提示装置は、本発明に係る情報提示装置の機能と本発明に係る情報登録装置の機能との両方を備えている。
図１には、本例の情報登録提示装置の構成例を示してあり、この情報登録提示装置は、位置情報取得手段１と、情報保持手段２と、情報検索手段３と、情報提示調整手段４と、情報提示手段５と、情報選択手段６と、情報入力手段７と、登録情報調整手段８と、情報登録手段９とから構成されている。
【００６７】
位置情報取得手段１は、例えばユーザにより携帯されて或いはユーザに装着されて移動が可能な端末装置に備えられているとともに、例えばＧＰＳ受信機等から構成されており、当該端末装置の位置の情報を取得する機能を有している。
情報保持手段２は、例えば情報を保持するメモリやデータベース等から構成されており、登録情報と環境情報とを対応付けて保持する機能を有している。
【００６８】
情報検索手段３は、情報保持手段２から登録情報を検索する機能を有している。
提示情報調整手段４は、検索された登録情報を提示するに際して、当該登録情報に対応付けられた位置（当該登録情報の登録位置）と現在において端末装置がおかれている位置との間の距離に応じて当該登録情報の提示形態を調整する機能を有している。
【００６９】
情報提示手段５は、例えば上記した端末装置に備えられているとともに、例えば情報をユーザに対して提示するディスプレイ画面やスピーカ等から構成されている。そして、情報提示手段５は、登録情報等を提示する機能を有しており、また、提示情報調整手段４により登録情報の提示形態が調整される場合には当該調整される提示形態で登録情報を提示する機能を有している。
【００７０】
情報選択手段６は、例えば上記した端末装置に備えられているとともに、例えばユーザにより操作されるキーボードやマウス等から構成されており、情報提示手段５により提示された情報の名前（タイトル）をユーザにより選択させることで、選択された情報に対する更に詳細な情報提示を要求する指示を受け付ける機能を有している。
情報入力手段７は、例えば上記した端末装置に備えられているとともに、例えばユーザにより操作されるキーボードやマウス等から構成されており、登録情報をユーザから受け付けて入力する機能を有している。
【００７１】
登録情報調整手段８は、入力された登録情報を登録するに際して、当該登録情報に対応付けられる位置（当該登録情報の登録位置）と現在において端末装置がおかれている位置との間の距離に応じて当該登録情報の登録形態を調整する機能を有している。
情報登録手段９は、登録情報を環境情報と対応付けて情報保持手段２に登録して保持させる機能を有しており、また、登録情報調整手段８により登録情報の登録形態が調整された場合には当該調整後の登録情報を登録する機能を有している。
【００７２】
次に、第１実施例として、本例の情報登録提示装置により登録情報を検索して提示するに際して当該登録情報の提示形態を調整する処理の手順の一例を示す。
図２には、このような処理の手順の一例を示してある。
なお、本例の情報登録提示装置により扱われる登録情報は、予め図３に示されるような形態で情報保持手段２に保存されているものとする。
【００７３】
ここで、同図に示した登録情報の形態では、識別番号（ＩＤ番号）を格納するＩＤ部１１と、名前（タイトル）を格納する名前部１２と、テキストの内容や対応した位置（本例では、緯度や経度）を格納する内容部１３と、付与された検索キーワードや関連するファイルの識別子を格納するキーワード部１４が設けられており、キーワード部１４に格納されたファイル識別子により関連するファイル（例えば画像ファイル１５や音声ファイル１６やテキストファイル１７）が指定される。
【００７４】
更に具体的には、同図に示した登録情報の例では、ＩＤ番号が「０７４８２」であり、名前が「ヒラタクワガタ」であり、テキストの内容が「朝5:30 北側の...」であり、検索キーワードが「昆虫、クワガタ、...」であり、更に特殊データとして、情報が登録されている位置（緯度及び経度）が「北緯35度42分56秒9(N-35-42-56-9)、東経139度44分03秒0(E-139-44-03-0)」であり、画像ファイル１５の識別子が「hirata.jpg」であり、音声ファイル１６の識別子が「hirata.wav」であり、テキストファイル１７の識別子が「hirata.txt」である。
【００７５】
また、同図では、緯度及び経度により特定される一点の位置に対応付けられて登録された１単位の登録情報の例を示したが、本例では、様々な位置に対応して様々な登録情報が情報保持手段２に登録される。また、この場合に、一点の位置に対応付けられて複数の異なる登録情報が情報保持手段２に登録されてもよい。
【００７６】
上記図２に示した本例に係る処理では、まず、位置情報取得手段１が端末装置の現在位置の情報を取得する（ステップＳ１）。ここで、位置情報を取得する方法としては、例えばＧＰＳ受信機を用いるのが一般的であるが、位置情報を取得することができれば、種々な方法が用いられてもよい。
【００７７】
次に、情報検索手段３が、情報保持手段２に保存されている情報の中から、位置情報取得手段１により取得された位置（端末装置の現在位置）に近い位置（例えば取得された位置を中心とした１００ｍ以内の位置など）に対応付けられて登録されている登録情報を検索する（ステップＳ２）。なお、このような検索は、例えば緯度や経度の数値情報に一定範囲の幅をもたせてその範囲内に含まれる位置に対応した登録情報を検索することで実現することができ、また、他の好ましい態様として、例えば予め地理的な位置範囲を格子状に区分しておき、各区分毎の位置範囲内の登録情報に各区分を示すキーワードを付与しておくと、高速な検索を実現することができる。
【００７８】
次に、情報提示手段５が検索手段３による検索結果をユーザに対して提示する（ステップＳ３）。
ここで、図４には、情報提示手段５により提示される検索結果の一例を示してある。同図に示されるように、本例では、登録情報の検索結果を表示する検索結果表示エリア２１と、情報の名前を表示する名前エリア２２と、情報のテキスト内容等を表示する内容エリア２３と、情報の画像内容を表示する画像エリア２４と、情報に付与された検索キーワードを表示するキーワードエリア２５と、情報を登録するための情報単位登録ボタン２６と、情報を検索するための情報単位検索ボタン２７とが画面に表示される。そして、同図の例では、検索結果表示エリア２１に検索された情報の名前が一覧表示されており、具体的には、所定の位置範囲内に点在する昆虫の情報が複数検索されてこれらの情報の名前が表示されている。
【００７９】
次に、ユーザは、提示された検索結果の中から、より詳しい情報を知りたいものの名前を情報選択手段６により選択することで、選択した名前の情報に関する詳細情報を提示するように指示を行う（ステップＳ４）。
すると、提示情報調整手段４は、ユーザにより選択された登録情報に対応付けられた位置（登録位置）と端末装置が現在おかれている位置との間の距離を計算する（ステップＳ５）。なお、本例では、この距離が３０ｍであることが計算されたとする。
【００８０】
次に、提示情報調整手段４は、例えば図５に示されるように表現される曲線Ｑに基づいて、ユーザにより選択された登録情報の提示形態（表現の仕方）を調整する（ステップＳ６）。
ここで、同図には、距離とレベルとを対応させる曲線Ｑの一例を示してあり、同図中のグラフの横軸は距離（０ｍ〜１００ｍ）を示してあり、縦軸はレベル（０〜１００）を示してある。同図に示されるように、この曲線Ｑは、距離が大きくなるに従ってレベルが小さくなるものとなっている。
【００８１】
同図の曲線Ｑを参照すると、本例の場合には、距離が３０ｍであることから、レベルは１０となる。
この場合、提示情報調整手段４は、音声ファイルの音声情報については出力に係る音量レベルを所定の基準レベルに比べて１０／１００（つまり、１／１０）に減衰させ、同様に、画像ファイルの画像情報についてはその大きさを所定の基準レベルに比べて１／１０に減衰させるといったようにして、音声情報や画像情報の提示形態を調整する。なお、このような音声情報に関する調整と画像情報に関する調整とを組み合せることで、例えば音声情報と画像情報とが組み合わされた動画情報の提示形態を調整することもできる。
【００８２】
また、本例では、テキストファイルのテキスト情報についても、上記のような曲線Ｑに基づいてその提示形態を調整することとし、つまり、レベルが小さくなるに従って表示させるテキスト内容を減少させていく。具体的には、例えば上記図３に示したように、本例のテキストファイル１７では各レベル範囲毎に表示させるテキスト内容が規定されており、これに基づいて提示形態が調整される。
【００８３】
なお、本例では、上記図５に示したような曲線Ｑを用いて登録情報の提示形態を調整する方法を示したが、例えば距離とレベルとの対応関係を規定するような数式を用いて登録情報の提示形態を調整することもできる。
また、他の方法として、例えば図６に示されるように、位置範囲を予め格子状の複数の区域に区切っておき、各区域毎に段階的に登録情報の提示形態を調整するような方法を用いることもできる。
【００８４】
具体的には、同図には、或る情報単位３１が登録時に対応付けられた位置（N-35-42-56-9、E-139-44-03-0）を含む区域を中心として、それぞれ１０ｍの緯度範囲及び１０ｍの経度範囲をもった２５個の格子状の区域を示してある。そして、同図の例では、端末装置が端末位置（１）の区域に存する場合には音声等のレベルを最大レベルに調整し、端末装置が端末位置（２）の区域に存する場合には音声等のレベルを中間レベルに調整し、端末装置が端末位置（３）の区域に存する場合には音声等のレベルを最小レベルに調整するようにして、情報単位３１の提示形態を調整することが行われる。
【００８５】
なお、このように登録情報の提示形態を多段階に調整する方法においても、例えば上記図３に示したテキストファイル１７の形態と同様に各区域とテキスト内容とを対応させたテキストファイルの形態を用いることで、端末装置が存する区域に応じて予め用意された詳細さの異なるテキスト内容を選択して提示することができる。また、テキスト内容を減少させる処理は、例えば一般的なテキスト要約技術を使用して自動的に行うことも可能である。
【００８６】
上記のようにしてユーザにより選択された登録情報の提示形態が提示情報調整手段４により調整されると、次に、情報提示手段５が、このようにして提示形態が調整された登録情報をユーザに対して提示し（ステップＳ７）、これにより、本例に係る処理が終了される。
【００８７】
ここで、図７には、提示対象となる登録情報に対応付けられた位置（登録位置）と端末装置が現在おかれている位置とが遠い状態（つまり、これら２つの位置の間の距離が大きい状態）において提示される当該登録情報の一例を示してある。この場合、同図に示されるように、例えば、テキストの内容は１行のみしか表示されておらず、画像は小さく表示されており、音声ファイル４１による音声もかすかに聞こえる程度の音量レベルで再生出力されている。
【００８８】
また、図８には、上記図７に示した状態と比べて、端末装置が登録情報に対応付けられた位置にもう少し近づいた状態において提示される当該登録情報の一例を示してある。この場合、同図に示されるように、テキストの内容は多少詳細となっており、画像も中程度の大きさとなっており、音声ファイル４１による音声も中間レベルで再生出力されている。
【００８９】
また、図９には、上記図８に示した状態と比べて、端末装置が登録情報に対応付けられた位置に最も近づいた状態において提示される当該登録情報の一例を示してある。この場合、同図に示されるように、テキストの内容は完全に詳細な情報となっており、画像も完全な大きさの画像となっており、音声ファイル４１による音声も本来の音量レベルで再生出力されている。
【００９０】
次に、第２実施例として、本例の情報登録提示装置により登録情報を位置情報に対応付けて登録するに際して当該登録情報の登録形態を調整する処理の手順の一例を示す。
図１０には、このような処理の手順の一例を示してある。
すなわち、位置情報取得手段１は端末装置が現在おかれている位置の情報を取得することを例えば常に行っており（ステップＳ１１）、これに際して、ユーザは、登録したい情報が発生したときに、情報入力手段７を操作して当該登録情報を入力する（ステップＳ１２）。
【００９１】
すると、登録情報調整手段８が、まず、ユーザにより入力された登録情報の中心位置として現在における端末装置の位置を設定し、そして、登録情報調整手段８及び情報登録手段９が、登録時に当該登録情報に対応付ける位置（登録位置）毎に、次のような登録処理を実行する（ステップＳ１３〜ステップＳ１６）。
【００９２】
すなわち、各登録位置毎の登録処理では、登録情報調整手段８が前記中心位置と登録位置との間の距離を計算して（ステップＳ１３）、当該距離に応じて登録情報を加工することで当該登録情報の登録形態（表現の仕方）を調整し（ステップＳ１４）、情報登録手段９がこのようにして加工された登録情報を当該登録位置に対応付けて情報保持手段２に登録し（ステップＳ１５）、そして、他の登録位置についての登録処理を実行するか否かを判定する（ステップＳ１６）。この判定の結果、他の登録位置についての登録処理を実行する場合には以上と同様な登録処理（ステップＳ１３〜ステップＳ１６）を実行する一方、他の登録位置についての登録処理が不要である場合には、本例に係る処理が終了される。
【００９３】
ここで、上記した登録処理（ステップＳ１３〜ステップＳ１６）の具体例を示す。なお、本例では、ユーザから入力された登録情報を端末装置の現在位置に対応付けて登録するとともに、当該登録情報を当該現在位置の近傍の幾つかの位置に対応付けて登録する場合を示す。
【００９４】
すなわち、まず、登録情報調整手段８が、登録時に登録情報に対応付ける位置（登録位置）として現在における端末装置の位置を設定し、情報登録手段９が当該登録情報を当該登録位置に対応付けて情報保持手段２に登録する（ステップＳ１５）。ここで、この場合には、前記中心位置と登録位置との間の距離はゼロ（０）となるため、これら２つの位置の間の距離を計算する処理（ステップＳ１３）や、当該距離に応じて登録情報を加工する処理（ステップＳ１４）については、省略することができ、登録情報はそのままの形態で登録位置に対応付けられて登録される。
【００９５】
次に、他の登録位置として（ステップＳ１６）、現在における端末装置の位置の近傍の位置を選択する。ここで、本例では、例えば上記図６に示したように位置範囲を格子状の複数の区域に区切ったものを予め設定しておき、そして、現在における端末装置の位置を含む区域に隣接する周囲に存する例えば８個の区域（３区域×３区域の近傍）や例えば２４個の区域（５区域×５区域の近傍）などに含まれる各区域に対応した代表的な位置を登録位置として順次選択することとする。
【００９６】
この場合、例えば８個分の各登録位置や例えば２４個分の各登録位置について、順次、登録情報調整手段８が前記中心位置と登録位置との間の距離を計算して（ステップＳ１３）、当該距離に基づいて登録情報を加工することで例えば上記第１実施例の場合と同様に当該距離に応じて音声等のレベルを調整し（ステップＳ１４）、情報登録手段９が加工された登録情報を当該登録位置に対応付けて情報保持手段２に登録する（ステップＳ１５）。そして、このような登録処理が全ての登録位置について完了すると（ステップＳ１６）、本例に係る処理が終了される。
【００９７】
なお、本例では、端末装置の現在位置を前記中心位置として設定して登録情報の登録処理を行ったが、登録情報を登録する際の当該中心位置が他の種々な仕方で設定されてもよく、例えば、ユーザ等により中心位置の緯度や経度を示す数値を入力して当該入力位置を中心位置として設定することや、ユーザ等により地図上の点を指定して当該指定位置を中心位置として設定することなどにより、中心位置をユーザ等により設定する構成とすることも可能である。
【００９８】
具体的には、このような構成を有する情報登録装置では、例えば、登録情報を入力する情報入力手段と、（ユーザ等により）環境の情報を設定する環境情報設定手段と、環境情報設定手段により設定された環境情報と情報入力手段により入力された登録情報が登録時に対応付けられる環境情報との差に基づいて当該登録情報の登録形態を調整する調整手段と、情報入力手段により入力された登録情報を調整手段により調整される登録形態で環境情報（登録時に対応付けられる環境情報）に対応付けて登録する情報登録手段と、を備える。
【００９９】
以上のように、本例の情報登録提示装置では、情報保持手段２が登録情報とその登録情報が提示されるべき位置の情報とを保持し、位置情報取得手段１が端末装置の位置の情報を取得し、情報検索手段３が取得された位置の近傍の位置に対応付けられて登録されている登録情報を情報保持手段２から検索し、提示情報調整手段４が検索された登録情報の登録位置と端末装置の位置との間の距離に応じて当該登録情報に対してレベル減衰やレベル増幅や一部抽出等の処理を施してその提示形態を調整し、情報提示手段５がこのようにして提示形態が調整された登録情報を提示する。このような処理により、例えば、端末装置を携帯等したユーザが登録情報の登録位置に近づくにつれて当該端末装置により提示される登録情報の提示内容や提示レベルが詳細な内容や大きなレベルへ変化するといった状況を提供することができ、これにより、提示される登録情報に臨場感をもたせることができる。
【０１００】
また、本例の情報登録提示装置では、情報保持手段２が登録情報とその登録情報が提示されるべき位置の情報とを保持し、情報入力手段７が登録情報を入力し、登録情報調整手段８が自動的に或いは手動で入力された登録情報の中心位置を中心として近傍の幾つかの位置を選択して、当該中心位置と実際に登録される当該選択位置との間の距離に応じて当該登録情報の登録形態を調整し、情報登録手段９がこのようにして登録形態が調整された登録情報を当該選択位置に対応付けて情報保持手段２に登録する。このような処理により登録情報を情報保持手段２に登録すると、上記と同様に、例えば、端末装置が位置情報に対応した登録情報を情報保持手段２から検索して提示するに際して、当該端末装置が当該登録情報の中心位置に近づくほど提示される情報の出力音や出力画像が大きくなったり提示される情報のテキスト内容が詳細になったりする状況を提供することができ、これにより、提示される登録情報に臨場感をもたせることができる。
【０１０１】
なお、本例では、中心位置に対応した登録情報を当該中心位置の近傍に存する複数の位置（近傍位置）のそれぞれに対応付けて登録するに際して各近傍位置に対応付ける登録情報の登録形態を調整する場合を示したが、例えば中心位置に対応した登録情報を当該中心位置に対応付けて登録するに際して、当該中心位置の近傍に存する複数の位置（近傍位置）のそれぞれと当該中心位置との間の距離に応じて登録情報の登録形態を調整し、これにより、これら各近傍位置毎にその位置で提供するための登録情報を当該中心位置に対応付けて登録することもできる。このような処理により登録情報を登録すると、例えば中心位置の近傍に存する端末装置が当該中心位置に対応付けられた登録情報を検索して提示するに際して、当該端末装置の位置に応じて提示される登録情報に臨場感をもたせることができる。
【０１０２】
また、上記と同様に、このような登録を行う場合において、登録時に登録情報と対応付ける環境情報をユーザ等により設定することも可能である。
具体的には、このような構成を有する情報登録装置では、例えば、登録情報を入力する情報入力手段と、（ユーザ等により）環境の情報を設定する環境情報設定手段と、環境情報設定手段により設定された環境情報と当該環境情報とは異なる環境情報との差に基づいて情報入力手段により入力された登録情報の登録形態を調整する調整手段と、環境情報設定手段により設定された環境情報とは異なる環境情報を指定する情報を情報入力手段により入力された登録情報に付加して、当該登録情報をこれら２つの環境情報の差に基づいて調整手段により調整される登録形態で環境情報設定手段により設定された環境情報に対応付けて登録する情報登録手段と、を備える。
【０１０３】
ここで、本発明に係る情報提示装置や情報登録装置の構成や本発明に係る情報提示方法や情報登録方法の態様としては、必ずしも以上に示したものに限られず、種々な構成や態様が用いられてもよい。
また、本発明の適用分野としては、必ずしも以上に示したものに限られず、本発明は、種々な分野に適用することが可能なものである。
【０１０４】
また、本発明に係る情報提示装置や情報登録装置において行われる各種の処理としては、例えばプロセッサやメモリ等を備えたハードウエア資源においてプロセッサがＲＯＭに格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピーディスクやＣＤ−ＲＯＭ等のコンピュータにより読み取り可能な記録媒体（記憶媒体）や当該プログラム（自体）として把握することもでき、当該制御プログラムを記録媒体からコンピュータに入力してプロセッサに実行させることにより、本発明に係る処理を遂行させることができる。
【０１０５】
【発明の効果】
以上説明したように、本発明に係る情報提示装置などによると、環境の情報を取得し、データベース等から登録情報を検索し、取得した環境情報と検索した登録情報に対応した環境情報との差に基づいて当該登録情報の提示形態を調整し、検索した登録情報を調整した提示形態で提示するようにしたため、環境情報の差異に応じた臨場感をもった提示形態で登録情報を提示することができる。
【０１０６】
また、本発明に係る情報登録装置などによると、登録情報を入力するとともに、登録情報が入力される際における環境の情報を取得し、取得した環境情報と入力した登録情報が登録時に対応付けられる環境情報との差に基づいて当該登録情報の登録形態を調整し、入力した登録情報を調整した登録形態で環境情報に対応付けて登録するようにしたため、環境情報の差異に応じた臨場感をもった登録形態で登録情報を登録することができ、このような登録情報を検索時に役立てることができる。
【０１０７】
また、本発明に係る情報登録装置などによると、登録情報を入力するとともに、登録情報が入力される際における環境の情報を取得し、取得した環境情報と当該環境情報とは異なる環境情報との差に基づいて入力した登録情報の登録形態を調整し、取得した環境情報とは異なる環境情報を指定する情報を入力した登録情報に付加して、当該登録情報をこれら２つの環境情報の差に基づいて調整した登録形態で取得した環境情報に対応付けて登録するようにしたため、環境情報の差異に応じた臨場感をもった登録形態で登録情報を登録することができ、このような登録情報を検索時に役立てることができる。
【０１０８】
また、本発明に係る情報提示装置などによると、環境の情報を取得し、取得した環境情報と登録時に対応付けられた環境情報との差が提示形態に対応した環境情報と登録時に対応付けられた環境情報との差に適合する登録情報をデータベース等から検索し、検索した登録情報を提示するようにしたため、環境情報の差異に応じた臨場感をもった提示形態を有する登録情報を提示することができる。
【図面の簡単な説明】
【図１】  本発明の実施例に係る情報登録提示装置の一例を示す図である。
【図２】  第１実施例に係る登録情報の提示形態を調整して提示する処理の手順の一例を示すフローチャート図である。
【図３】  情報保持手段に保持される登録情報の一例を示す図である。
【図４】  近傍の位置に対応した情報単位の検索結果の一例を示す図である。
【図５】  端末装置の位置と情報単位の登録位置との間の距離に応じて登録情報を提示する際のレベルを調整する方法の一例を説明するための図である。
【図６】  端末装置の位置と情報単位の登録位置との間の距離に応じて登録情報を提示する際のレベルを調整する方法の他の一例を説明するための図である。
【図７】  端末装置の位置と情報単位の登録位置とが遠い場合に提示される登録情報の一例を示す図である。
【図８】  端末装置の位置と情報単位の登録位置とが近づいた場合に提示される登録情報の一例を示す図である。
【図９】  端末装置の位置と情報単位の登録位置とが更に近くなった場合に提示される登録情報の一例を示す図である。
【図１０】  第２実施例に係る登録情報の登録形態を調整して登録する処理の手順の一例を示すフローチャート図である。
【符号の説明】
１・・位置情報取得手段、  ２・・情報保持手段、  ３・・情報検索手段、
４・・提示情報調整手段、  ５・・情報提示手段、  ６・・情報選択手段、
７・・情報入力手段、  ８・・登録情報調整手段、  ９・・情報登録手段、
１１・・ＩＤ部、  １２・・名前部、  １３・・内容部、
１４・・キーワード部、  １５・・画像ファイル、
１６、４１・・音声ファイル、  １７・・テキストファイル、
２１・・検索結果表示エリア、  ２２・・名前エリア、  ２３・・内容エリア、
２４・・画像エリア、  ２５・・キーワードエリア、
２６・・情報単位登録ボタン、  ２７・・情報単位検索ボタン、  Ｑ・・曲線、
３１・・情報単位、
【図１】
0004081978.tif 000002
【図２】
0004081978.tif 000003
【図３】
0004081978.tif 000004
【図４】
0004081978.tif 000005
【図５】
0004081978.tif 000006
【図６】
0004081978.tif 000007
【図７】
0004081978.tif 000008
【図８】
0004081978.tif 000009
【図９】
0004081978.tif 000010
【図１０】
0004081978.tif 000011